(57)【要約】      （修正有）【課題】全身の筋肉を鍛えることができ、かつ、重量を調整できるアレイを提供する。【解決手段】ハンドル部２０と、中心軸４０と、二つの重り６０と、二つの蓋体９０とを含んでなり、ハンドル部が、桿体部２１及び外径が比較的大きい二つの凸部２２を具えてなり、該桿体部には軸孔が設けられ、該二つの凸部が桿体の両端の対称な位置に設けられ、二つの凸部には外側に向けて開口を形成した設置槽２５を具える。該設置槽と軸孔とが互いに貫通して形成され、中心軸が、軸孔に回動自在に穿設され、両端がそれぞれ突出して二つの凸部の設置槽に延伸し、二つの重りが、中心軸の両端に対称に固定して設けられ、それぞれの重りが接続桿と比較的大きな重量ブロック６２とを具える。さらに、該接続桿の一端が中心軸の端縁部上に固定され、重量ブロックが接続桿の他端に接続して設け、二つの蓋体９０を、それぞれ二つの凸部上に接続して二つの設置槽の蓋として供する。【選択図】図２
0003166991.tif 000002
【実用新案登録請求の範囲】
【請求項１】
ハンドル部と、中心軸と、二つの重りと、二つの蓋体とを含んでなり、
該ハンドル部が、桿体部及び外径が比較的大きい二つの凸部を具えてなり、該桿体部には軸孔が設けられ、該二つの凸部が桿体の両端の対称な位置に設けられ、二つの凸部には外側に向けて開口を形成した設置槽を具えてなり、該設置槽と軸孔とが互いに貫通して形成され、
該中心軸が、軸孔に回動自在に穿設され、両端がそれぞれ突出して二つの凸部の設置槽に延伸し、
二つの重りが、中心軸の両端に対称に固定して設けられ、それぞれの重りが接続桿と比較的大きな重量ブロックとを具えてなり、該接続桿の一端が中心軸の端縁部上に固定され、重量ブロックが接続桿の他端に接続して設けられ、
二つの蓋体が、それぞれ二つの凸部上に接続して二つの設置槽に蓋をすることを特徴とするアレイ。
【請求項２】
前記二つの重りが、それぞれ同じ形状の複数の片体を組み合わせて形成することを特徴とする請求項１に記載のアレイ。
【請求項３】
前記二つの重りの重量ブロックが、円弧状に形成され、接続桿が円弧上の重量ブロック内の凹面の中央の位置に接続し、重量ブロックが錨状を呈する構造からなることを特徴とする請求項１、或いは２に記載のアレイ。
【請求項４】
前記中心軸が、両端の外周面上にそれぞれ嵌合溝が設けられ、二つの重りの接続桿が重りの一端に設けられた接続スリーブを中心軸の端縁部に設けてなり、該接続スリーブの孔の内壁上に嵌合ブロックを具えてなり、中心軸の嵌合溝に嵌設することを特徴とする請求項３に記載のアレイ。
【請求項５】
前記アレイが二つの軸受け、二つのＣ型環状体と、二つのパッドと、二つのナットを設けてなり、
該中心軸が両端の外周面上にそれぞれ環状溝を具えてなり、両端面上にそれぞれネジ柱を突出して設け、
該二つの軸受けが、それぞれ軸孔内の両端に接続し、中心軸をその中に穿設し、
該二つのＣ型環状体がそれぞれ中心軸両端の環状溝に嵌設され、二つの軸受けの外側に当接し、
該二つのパッドが、それぞれ中心軸の両端の二つのネジ柱上に設けられ、二つのＣ型環状体で二つの重りが中心軸の両端に制限され、
該二つのナットが、それぞれ二つのネジ柱上に螺設され、二つのパッドが内側に向けて緊密に接続されることを特徴とする請求項４に記載のアレイ。
【請求項６】
前記アレイが、さらに二つのＣ型環状体を具えてなり、中心軸の二つの環状溝の外側にそれぞれさらに環状溝を具えてなり、二つのＣ型環状体を設けるために供し、四つのＣ型環状体で両側の軸受けと重りとの間に適宜な距離を保つことを特徴とする請求項５に記載のアレイ。
【請求項７】
前記二つの蓋体が、二つの凸部にそれぞれ螺接されることを特徴とする請求項６に記載のアレイ。
【請求項８】
前記中心軸が、両端の外周面上にそれぞれ第一平面を具えてなり、二つの重りの接続桿が重りの一端に接続スリーブを具えてなり、中心軸の端縁部に接続するために供し、該接続スリーブの孔の内壁が第一平面に対応する位置に第二平面を設けてなることを特徴とする請求項３に記載のアレイ。
【請求項９】
前記アレイが、二つの軸受けと、二つのＣ型環状体と、二つのパッドと、二つのナットとを含んでなり、
該中心軸が、両端の外周面上にそれぞれ環状溝を具えてなり、両端面上にそれぞれネジ柱を突出して設け、
該二つの軸受けが、それぞれ軸孔内の両端に接続し、中心軸をその中に穿設し、
該二つのＣ型環状体がそれぞれ中心軸両端の環状溝に嵌設され、二つの軸受けの外側に当接し、
該二つのパッドが、それぞれ中心軸の両端の二つのネジ柱上に設けられ、二つのＣ型環状体で二つの重りが中心軸の両端に制限され、
該二つのナットが、それぞれ二つのネジ柱上に螺設され、二つのパッドが内側に向けて緊密に接続されることを特徴とする請求項８に記載のアレイ。
【請求項１０】
前記アレイが、さらに二つのＣ型環状体を設けてなり、中心軸の二つの環状溝の外側にそれぞれさらに環状溝を具えてなり、二つのＣ型環状体を設けるために供し、四つのＣ型環状体で両側の軸受けと重りとの間に適宜な距離を保つことを特徴とする請求項９に記載のアレイ。
【考案の詳細な説明】
【技術分野】
【０００１】
この考案は、アレイであって、特に手に持ち上下左右などに動かすことで腕力などを鍛えることができるアレイに関する。
【背景技術】
【０００２】
図１は、従来のアレイを示した説明図である。
【０００３】
図面によれば、ハンドル１０と、該ハンドル１０の両端にそれぞれ接続して設けられた重量ブロック１１とを含んでなる。
【０００４】
該重量ブロック１１は形状が図に開示するように適宜な厚さを具えた円形の片上を呈するか、或いはその他球状、多辺形などの形状に形成してもよい。
【０００５】
従来のアレイは、使用者が上下に上げる、或いは下げるの動作しかすることができないため、腕の筋肉を鍛えることしかできない。
【０００６】
単一の動作では使用時間がなくなると、一般的に使用に新鮮さと面白みを感じなくなる。
【０００７】
また、単一な動作により一部の筋肉しか鍛えることができないことは、運動好きな多くの使用者の需要を満たすことが難しい。
【０００８】
さらに、従来のアレイの重量は個人の好みに応じて調整することができない。
【考案の開示】
【考案が解決しようとする課題】
【０００９】
この考案は、全身の筋肉を鍛えることができるアレイを提供することを課題とする。
【課題を解決するための手段】
【００１０】
そこで、本考案者は従来の技術に見られる欠点に鑑みて鋭意研究を重ねた結果、ハンドル部と、中心軸と、二つの重りと、二つの蓋体とを含んでなり、
該ハンドル部が、桿体部及び外径が比較的大きい二つの凸部を具えてなり、該桿体部には軸孔が設けられ、該二つの凸部が桿体の両端の対称な位置に設けられ、二つの凸部には外側に向けて開口を形成した設置槽を具えてなり、該設置槽と軸孔とが互いに貫通して形成され、
該中心軸が、軸孔に回動自在に穿設され、両端がそれぞれ突出して二つの凸部の設置槽に延伸し、
二つの重りが、中心軸の両端に対称に固定して設けられ、それぞれの重りが接続桿と比較的大きな重量ブロックとを具えてなり、該接続桿の一端が中心軸の端縁部上に固定され、重量ブロックが接続桿の他端に接続して設けられ、
二つの蓋体が、それぞれ二つの凸部上に接続して二つの設置槽に蓋をするために供するアレイによって課題を解決できる点に着眼し、かかる知見に基づいて本考案を完成させた。
【００１１】
以下、この考案について具体的に説明する。
請求項１に記載のアレイは、ハンドル部と、中心軸と、二つの重りと、二つの蓋体とを含んでなり、
該ハンドル部が、桿体部及び外径が比較的大きい二つの凸部を具えてなり、該桿体部には軸孔が設けられ、該二つの凸部が桿体の両端の対称な位置に設けられ、二つの凸部には外側に向けて開口を形成した設置槽を具えてなり、該設置槽と軸孔とが互いに貫通して形成され、
該中心軸が、軸孔に回動自在に穿設され、両端がそれぞれ突出して二つの凸部の設置槽に延伸し、
二つの重りが、中心軸の両端に対称に固定して設けられ、それぞれの重りが接続桿と比較的大きな重量ブロックとを具えてなり、該接続桿の一端が中心軸の端縁部上に固定され、重量ブロックが接続桿の他端に接続して設けられ、
二つの蓋体が、それぞれ二つの凸部上に接続して二つの設置槽に蓋をするために供する。
【００１２】
請求項２に記載のアレイは、請求項１における二つの重りが、それぞれ同じ形状の複数の片体を組み合わせて形成する。
【００１３】
請求項３に記載のアレイは、請求項１、或いは２における重りの重量ブロックが、円弧状に形成され、接続桿が円弧上の重量ブロック内の凹面の中央の位置に接続し、重量ブロックが錨状を呈する構造からなる。
【００１４】
請求項４に記載のアレイは、請求項３における中心軸が、両端の外周面上にそれぞれ嵌合溝が設けられ、二つの重りの接続桿が重りの一端に設けられた接続スリーブを中心軸の端縁部に設けてなり、該接続スリーブの孔の内壁上に嵌合ブロックを具えてなり、中心軸の嵌合溝に嵌設するために供する。
【００１５】
請求項５に記載のアレイは、請求項４におけるアレイが二つの軸受け、二つのＣ型環状体と、二つのパッドと、二つのナットを設けてなり、
該中心軸が両端の外周面上にそれぞれ環状溝を具えてなり、両端面上にそれぞれネジ柱を突出して設け、
該二つの軸受けが、それぞれ軸孔内の両端に接続し、中心軸をその中に穿設し、
該二つのＣ型環状体がそれぞれ中心軸両端の環状溝に嵌設され、二つの軸受けの外側に当接し、
該二つのパッドが、それぞれ中心軸の両端の二つのネジ柱上に設けられ、二つのＣ型環状体で二つの重りが中心軸の両端に制限され、
該二つのナットが、それぞれ二つのネジ柱上に螺設され、二つのパッドが内側に向けて緊密に接続されるように供する構造からなる。
【００１６】
請求項６に記載のアレイは、請求項５におけるアレイが、さらに二つのＣ型環状体を具えてなり、中心軸の二つの環状溝の外側にそれぞれさらに環状溝を具えてなり、二つのＣ型環状体を設けるために供し、四つのＣ型環状体で両側の軸受けと重りとの間に適宜な距離を保つことができる構造からなる。
【００１７】
請求項７に記載のアレイは、請求項６における二つの蓋体が、二つの凸部にそれぞれ螺接される。
【００１８】
請求項８に記載のアレイは、請求項３における中心軸が、両端の外周面上にそれぞれ第一平面を具えてなり、二つの重りの接続桿が重りの一端に接続スリーブを具えてなり、中心軸の端縁部に接続するために供し、該接続スリーブの孔の内壁が第一平面に対応する位置に第二平面を設けてなる。
【００１９】
請求項９に記載のアレイは、請求項８におけるアレイが、二つの軸受けと、二つのＣ型環状体と、二つのパッドと、二つのナットとを含んでなり、
該中心軸が、両端の外周面上にそれぞれ環状溝を具えてなり、両端面上にそれぞれネジ柱を突出して設け、
該二つの軸受けが、それぞれ軸孔内の両端に接続し、中心軸をその中に穿設し、
該二つのＣ型環状体がそれぞれ中心軸両端の環状溝に嵌設され、二つの軸受けの外側に当接し、
該二つのパッドが、それぞれ中心軸の両端の二つのネジ柱上に設けられ、二つのＣ型環状体で二つの重りが中心軸の両端に制限され、
該二つのナットが、それぞれ二つのネジ柱上に螺設され、二つのパッドが内側に向けて緊密に接続されるように供する構造からなる。
【００２０】
請求項１０に記載のアレイは、請求項９におけるアレイが、さらに二つのＣ型環状体を設けてなり、中心軸の二つの環状溝の外側にそれぞれさらに環状溝を具えてなり、二つのＣ型環状体を設けるために供し、四つのＣ型環状体で両側の軸受けと重りとの間に適宜な距離を保つことができる構造からなる。
【考案の効果】
【００２１】
この考案によるアレイは、全身の筋肉を鍛えることができ、好みの重量に調整することができて実用的という効果を有する。
【考案を実施するための最良の形態】
【００２２】
この考案は、全身の筋肉を鍛えることができるアレイであって、ハンドル部と、中心軸と、二つの重りと、二つの蓋体とを含んでなり、
該ハンドル部が、桿体部及び外径が比較的大きい二つの凸部を具えてなり、該桿体部には軸孔が設けられ、該二つの凸部が桿体の両端の対称な位置に設けられ、二つの凸部には外側に向けて開口を形成した設置槽を具えてなり、該設置槽と軸孔とが互いに貫通して形成され、
該中心軸が、軸孔に回動自在に穿設され、両端がそれぞれ突出して二つの凸部の設置槽に延伸し、
二つの重りが、中心軸の両端に対称に固定して設けられ、それぞれの重りが接続桿と比較的大きな重量ブロックとを具えてなり、該接続桿の一端が中心軸の端縁部上に固定され、重量ブロックが接続桿の他端に接続して設けられ、
二つの蓋体が、それぞれ二つの凸部上に接続して二つの設置槽に蓋をするために供するアレイの構造と特徴を詳述するために具体的な実施例を挙げ、図示を参照にして以下に説明する。
【実施例】
【００２３】
図２、図３は、この考案のアレイを示した説明図である。
【００２４】
図面によれば、アレイはハンドル部２０と、二つの軸受け３０と、中心軸４０と、四つのＣ型環状体５０と、二つの重り６０と、二つのパッド７０と、二つのナット８０と、二つの蓋体９０とを含んでなる。
【００２５】
ハンドル部２０は、桿体部２１及び外径が比較的大きい二つの凸部２２とを含んでなる。
【００２６】
該ハンドル部２１は、軸孔２３を具えてなる。該軸孔２３は両端にそれぞれ外径が比較的大きい軸受け２４を設けてなる。
【００２７】
二つの凸部２２は桿体部２１の両端の対称な位置に設けられ、該二つの凸部２２が外側に向けて開口を形成した設置槽２５を設けてなる。
【００２８】
該設置槽２５と軸孔２３とは互いに貫通して接続し、二つの凸部２２の外周面には複数の外ネジ溝２６を設けてなる。
【００２９】
該二つの軸受け３０は、それぞれ二つの軸受け溝２４に設けられる。
【００３０】
該中心軸４０は軸孔２３の中に位置するように設けられ、且つ二つの軸受け３０内に穿設される。
【００３１】
該中心軸４０の両端にはそれぞれ突出して二つの凸部２２の設置槽２５に延伸し、両端の外周面上にはそれぞれ二つの環状溝４１及び嵌合溝４２が設けられる。
【００３２】
該中心軸４０の両端面上にはそれぞれネジ柱４３が突出して設けられる。
【００３３】
該四つのＣ型環状体５０はそれぞれ四つの環状溝４１に設けられる。その内側の二つのＣ型環状体５０は二つの軸受け３０の外側に当接して設けられる。
【００３４】
また、二つの外側のＣ型環状体５０は内側の二つのＣ型環状体５０との間に適宜な距離を具えてなる。
【００３５】
二つの重り６０は中心軸４０の両端に対称に固定して設けられる。それぞれの重り６０は接続桿６１と重量ブロック６２とを具えてなる。
【００３６】
接続桿６１は一端に接続スリーブ６３を設けてなり、中心軸４０の端縁部上に接続するために供し、内側面が外側のＣ型環状体５０の外側面に当接する。
【００３７】
該接続スリーブ６３は嵌合ブロック６４を設けてなり、中心軸４０の嵌合溝４２に嵌設する。
【００３８】
重量ブロック６２は円弧状を呈し、適宜な重量を具えてなる。該円弧状の重量ブロック６２は内側の突出面の中央が接続桿６１の他端に接続し、重り６０全体が錨状を呈する。
【００３９】
二つのパッド７０はそれぞれ中心軸４０の両端の二つのネジ柱４３上に接続して設けられ、外側の二つのＣ型環状体５０で二つの重り６０が中心軸４０の両端に制限される。
【００４０】
二つのナット８０がそれぞれ二つのネジ柱４３上に螺設され、二つのパッド７０が内側に向けて緊密に接続されるように供する。
【００４１】
二つの蓋体９０はそれぞれ二つの凸部２２上に接続して設けられる。二つの蓋体９０の内壁上に内ネジ溝９１を設けてなり、二つの凸部２２上の外ネジ溝２６を螺接するために供する。
【００４２】
よって、二つの設置槽２５を蓋するために供することができる。
【００４３】
この考案の実施形態では、二つの蓋体９０が高周波の加工方法か、或いは螺子で螺接する方法でそれぞれ二つの凸部２２上に設けられる。
【００４４】
図４、図５は、この考案の他の実施形態を示したものである。
【００４５】
図面によれば、この実施形態は前述の実施形態と略同様であるが、この実施形態では中心軸４０の両端の外周面上にそれぞれ第一平面４２ａが設けられ、前述の実施形態の嵌合溝４２の代わりに供する。
【００４６】
この実施形態では二つの重り６０がそれぞれ異なる形状の複数の片体６５から成り、組み合わせてなる。
【００４７】
それぞれの片体６５の接続スリーブ６３の孔の内壁が第一平面４２ａに対応する位置に第二平面６４ａを設けてなり、上述の実施形態の嵌合ブロック６４の代わりに供する。
【００４８】
よって、使用者が自身の状態によって組み合わせ、或いは適宜な数量の片体６５を取り外すことができ、個人の使用習慣に合わせて使用することができる。
【００４９】
片体６５を取り外した後、中心軸４０上に長さに合わせて接続スリーブ、或いは複数のパッド（図示しない）が設けられ、中心軸４０上の片体６５に当接するために供され、片体６５が中心軸４０上を軸方向に移動することを防ぐ。
【００５０】
この実施形態では片側の重り６０の片体６５の数を６片にする。
【００５１】
図６は、この考案のその他の実施形態を示したものである。
【００５２】
図面によれば、この実施形態は図２、図３の実施形態と略同じであるが、この実施形態の両側の重り６０が予め異なる重量に設定され、使用者が着脱して供することができる。
【００５３】
使用者はハンドル部２０を握り、アレイが往復して移動すると、図７に開示するように、二つの重り６０が二つの設置槽２５内で中心軸４０を軸心として同時に回転する。
【００５４】
二つの重り６０が同時に回転すると、遠心力と慣性力が発生してアレイが小幅で回転した状態を形成する。
【００５５】
該小幅で回転するアレイは、使用者の手が接続しているため使用者の体も揺り動かす。
【００５６】
よって、運動者の全身の筋肉を軽く振動させることになるため、全身の筋肉を鍛える目的を達成することができる。
【００５７】
アレイの動きは図８から図１１に開示するように、多種多様に変化させることができる。
【００５８】
このため、運動者の平行感を有効に訓練することができるため、運動者の興味をさらに引き出すことができる。
【００５９】
特に錨状の重りが重心を傾けて移動すると最も好ましく、比較的大きな遠心力と慣性力を発生し、更に好ましく回転して揺動させることができる。
【００６０】
図８に開示するように、運動者が片手でハンドル部２０を握り、アレイを横向きに動かし、手を前後、或いは上下に往復移動すると、アレイが横向きに回転する。
【００６１】
図９に開示するように、運動者が片手でハンドル部２０を握り、アレイを立て、手を前後、或いは左右に往復移動すると、アレイを立てた方向に回転、揺動させることができる。
【００６２】
図１０に開示するように、運動者が両手でそれぞれ二つのハンドル部２０を握り、両手を前後、或いは左右に往復移動すると、二つのアレイが回転、揺動される。
【００６３】
図１１に開示するように、運動者が両手で同一のアレイの両側の蓋体９０を握り、両手を前後、或いは上下に往復すると、アレイが回転、揺動される。２
【００６４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６５】
【図１】従来のアレイを示した斜視図である。
【図２】この考案のアレイを示した分解図である。
【図３】この考案のアレイを示した断面図である。
【図４】この考案のアレイの他の実施形態を示した分解図である。
【図５】この考案のアレイの他の実施形態を示した断面図である。
【図６】この考案のアレイのその他の実施形態を示した分解図である。
【図７】この考案のアレイの重りの動きを示した説明図である。
【図８】この考案のアレイの使用状態を示した説明図である。
【図９】この考案のアレイの他の使用状態を示した説明図である。
【図１０】この考案のアレイのその他の使用状態を示した説明図である。
【図１１】この考案のアレイの別の使用状態を示した説明図である。
【符号の説明】
【００６６】
１０       ハンドル
１１       重量ブロック
２０       ハンドル部
２１       桿体部
２２       凸部
２３       軸孔
２４       軸受け溝
２５       設置槽
２６       外ネジ溝
３０       軸受け
４０       中心軸
４１       環状溝
４２       嵌合溝
４２ａ     第一平面
４３       ネジ柱
５０       Ｃ型環状体
６０       重り
６１       接続桿
６２       重量ブロック
６３       接続スリーブ
６４       嵌合ブロック
６４ａ     第二平面
６５       片体
７０       パッド
８０       ナット
９０       蓋体
９１       内ネジ溝
【図１】
0003166991.tif 000003
【図２】
0003166991.tif 000004
【図３】
0003166991.tif 000005
【図４】
0003166991.tif 000006
【図５】
0003166991.tif 000007
【図６】
0003166991.tif 000008
【図７】
0003166991.tif 000009
【図８】
0003166991.tif 000010
【図９】
0003166991.tif 000011
【図１０】
0003166991.tif 000012
【図１１】
0003166991.tif 000013